(57)【要約】      （修正有）【課題】シンプルで容易に組み立てられるコード／ケーブル巻取方法を提供する。【解決手段】ヘッドホン等のケーブル用の巻取器は、ボビンの側面に差し込まれ本体のボビン内に巻き付けられ又は繰り出されるケーブル又はコード（２）と共に、本体（１１）を中心として回転するボビン（３２）を有する。インデックス機構によって、ケーブルの不意の繰出しを防ぐ。道具を使わずにボビンを本体に組み込むことができる。【選択図】図１
2009057132.tif 000002
【特許請求の範囲】
【請求項１】
ケーブル又はコード（２、３８）を固定することができ、上記ケーブル又はコードをそこから伸ばすことができ、本体に軸支された回転可能なボビン（３１）で少なくとも部分的に囲まれている本体（１１）と、
上記回転可能なボビン内で上記ボビンの軸とほぼ一直線に並ぶ方向から上記本体に巻き付け可能なケーブルとを具え、
上記ボビンの回転は、上記本体の少なくとも１つの突起（２４ｂ）又はくぼみと、上記ボビンの少なくとも１つのくぼみ又は突起（２４ａ）の相互作用によりインデックスされる
ことを特徴とするケーブル／コード巻取器。
【請求項２】
上記ボビンは、外部円筒面（３２）及び本体に向かって軸方向に配置された内面（２２、２５、３７，３５）を有する
ことを特徴とする請求項１に記載のケーブル／コード巻取器。
【請求項３】
上記軸方向に配置された１つの面は、上記本体に接触するように伸びる多数のフィンガ（３７）からなり、上記コード又はケーブルは当該多数の指のうちの隣接する２本のフィンガ間からボビンを通っている
ことを特徴とする請求項２に記載のケーブル／コード巻取器。
【請求項４】
上記多数のフィンガの本数は４本である
ことを特徴とする請求項３に記載のケーブル／コード巻取器。
【請求項５】
上記コード又はケーブルは上記本体から上記ボビンの軸方向に一直線に伸び、上記ボビン内で上記本体を滑り動くように通り得る（１６ｂ）
ことを特徴とする請求項１に記載のケーブル／コード巻取器。
【請求項６】
上記ボビンは、上記ケーブル又はコードと滑り動くように嵌合し得ることにより、上記本体で上記ボビンが回転すると、上記ケーブル又はコードを本体に巻き付ける内部ボビン突起（２４、３７）を有する
ことを特徴とする請求項５に記載のケーブル／コード巻取器。
【請求項７】
上記本体の上記突起又はくぼみは可撓性の突起（２４ｂ）でなり、上記ボビンの上記くぼみ又は突起は多数の突起（２４ａ）でなる
ことを特徴とする請求項１に記載のケーブル／コード巻取器。
【請求項８】
上記本体は１つの突起を有し、上記ボビンは８個の突起を有する
ことを特徴とする請求項７に記載のケーブル／コード巻取器。
【請求項９】
上記本体の上記突起又はくぼみは多数の突起でなり、
上記ボビン（１０１）の上記くぼみ又は突起は固定された突起でなり、
上記ボビンは位置変更可能に上記本体に取り付けられている
ことを特徴とする請求項１に記載のケーブル／コード巻取器。
【請求項１０】
上記ボビンは両方向に回転することができる
ことを特徴とする請求項１に記載のケーブル／コード巻取器。
【請求項１１】
当該巻取器はストラップ（１）で支えることができる
ことを特徴とする請求項１に記載のケーブル／コード巻取器。
【請求項１２】
ケーブル又はコード（２）を固定することができ、上記ケーブル又はコードをそこから伸びすことができ、本体に軸支された回転可能なボビン（３１）で少なくとも部分的に囲まれている本体（１１）と、
上記回転可能なボビン内で上記ボビンの軸とほぼ一直線に並ぶ方向から上記本体に巻き付け可能なケーブルとを具え、
上記ボビンの回転は、上記本体（１１）の少なくとも１つの突起又はくぼみと、上記ボビン（３１）の少なくとも１つのくぼみ又は突起の相互作用によりインデックスされ、
上記ボビンは、上記コード又はケーブルと滑り動くように嵌合し得る内部ボビン突起を有することにより、上記本体で上記ボビンが回転すると、上記コード又はケーブルを上記本体に巻きつけ、
上記内部ボビン突起は、上記ケーブル又はコード（２）が巻き付いている上記本体部分付近にループ状の部分まで伸ばす
ことを特徴とするケーブル／コード巻取器。
【請求項１３】
ケーブル又はコード（２）を固定することができ、ケーブル又はコードをそこから伸ばすことができ、本体に軸支された回転可能なボビン（３１）で少なくとも部分的に囲まれている本体（１１）と、
上記回転可能なボビン内で上記ボビンの軸とほぼ一直線に並ぶ方向から上記本体に巻き付け可能なケーブルとを具え、
上記ボビンの回転は、上記本体（１１）の少なくとも１つの突起又はくぼみと、ボビン（３１）の少なくとも１つのくぼみ又は突起の相互作用によりインデックスされ、
上記ボビンは、上記コード又はケーブルと滑り動くように嵌合し得る内部ボビン突起を有することにより、上記本体で上記ボビンが回転すると、上記コード又はケーブルを上記本体に巻きつけ、
上記内部ボビン突起は、上記ケーブル又はコード（２）が巻き付いている上記本体部分付近に１本のコード又はケーブルを伸ばす
ことを特徴とするケーブル／コード巻取器。
【発明の詳細な説明】
【技術分野】
【０００１】
本発明は一般に、コード、ケーブル又は同様の細長い物用の巻取装置に関し、特にヘッドホンに用いられるような細い規格の電子ケーブルや補助コード用の巻取装置に関するものである。
【背景技術】
【０００２】
ケーブル巻取装置などの物が知られており、例えば特開平０９−１５４１９６号公報は歯車やハンドル、回転止め機構を有するゼンマイを備えたプラグ付ケーブルドラムについて述べている。同様に、特開平０７−３１２４８４号公報は、キーボードや電話機などの装置に組み込むことができるもどり止め機構を有する、バネを張った巻取ドラムを示している。
【０００３】
このような巻取器は、できるだけシンプルな機構を提供するものではなく、出力コンダクタに接触させるためのスリップリング又はソケット、周囲の巻取りドラムを回転させるため慎重に軸支された軸端、及び必要な時以外はコードの引出しをしないよう慎重に精巧に作られた逆転防止機構を必要とする。
【０００４】
したがって、シンプルで容易に組み立てられるコード／ケーブル巻取方法の提案に関する問題点に対する解決策が必要である。
【０００５】
権力範囲の変化によって、「具える」という用語は、排他的又は包括的どちらの意味もあると考えられると認められる。本明細書を意図しており別な方法で記されていない限り、「具える」という語は記された意味に限らず包括的な意味を持つものであろう。すなわち、直接参考文献に記載されている構成要素のものだけでなく、他の記載されていない構成要素も含まれていることを意味すると思われる。この理論的根拠は、方法又は処理において「具えた」又は「具える」という語が１つ又は１つ以上のステップについて使用される場合にも適用されるであろう。  
【０００６】
本明細書において、「コード」という語はコード、ケーブル、ワイヤ及びその他の細長い可撓性のある補強用鋼線を含むものとして用いられる。
【０００７】
本発明は、従来技術を超える利点を提供する上述及び他の問題に対する解決策を提案するものである。
【発明の開示】
【０００８】
本発明は、ケーブル又はコードを本体に固定してそこから伸ばすことができ、本体に軸支された回転可能なボビンで少なくとも部分的に囲まれている当該本体と、回転可能なボビン内でボビンの軸とほぼ一直線に並ぶ方向から本体に巻き付け可能なケーブルとを具え、ボビンの回転は、本体の少なくとも１つの突起又はくぼみと、ボビンの少なくとも１つのくぼみ又は突起の相互作用によりインデックスされるケーブル／コード巻取器に関するものである。
【０００９】
一実施例において、ボビンは外部円筒面及び本体に向かって軸方向に配置された内面を有する。
【００１０】
他の実施例において、当該軸方向に配置された１つの面は、本体に接触するように伸びる多数のフィンガからなり、コード又はケーブルが当該多数の指のうちの隣接する２本のフィンガ間からボビンを通り抜けている。
【００１１】
当該多数のフィンガの本数は４本でも良い。
【００１２】
コード又はケーブルは、本体からボビンの軸方向に一直線に伸び、ボビン内で本体を滑り動くように通ることができる。
【００１３】
一実施例において、ケーブル又はコードに滑り動くように嵌合し得、本体でボビンが回転するとケーブル又はコードを本体に巻き付ける内部ボビン突起をボビンは有する。
【００１４】
他の実施例において、本体の突起又はくぼみは可撓性の突起でなり、ボビンのくぼみ又は突起は多数の突起でなる。
【００１５】
一実施例において、本体は１つの突起を有し、ボビンは８個の突起を有する。
【００１６】
さらに実施例において、本体の突起又はくぼみは多数の突起でなり、ボビンのくぼみ又は突起は固定した突起でなり、ボビンは移動可能に本体に取り付けられている。
【００１７】
またさらに実施例において、ボビンは両方向に回転することができる。
【００１８】
巻取器はストラップで支えられていても良い。
【００１９】
あるいは、本発明は少なくとも１つの円筒部がある本体を備え、円筒形の本体部分で回転可能な、ボビン内部の環状体の空間に対してボビンの側面を通って外部に通じる少なくとも１つの穴を有するボビンを備え、本体におけるボビンの回転を阻止するもどり止め機構を備え、本体に対してボビンを回転させることによりボビンの側面を通り抜けるケーブルを本体の方に巻き上げるケーブル巻上げ方法であると言える。
【００２０】
さらに実例において、本発明は少なくとも１つの円筒部がある本体を備え、ボビン内部の空間に対して外部に通じる少なくとも１つの穴を有する円筒形の本体部分において回転可能なボビンを備え、本体におけるボビンの回転を阻止するもどり止め機構を備え、本体に対してボビンを回転させてボビン内の空間に通じる１つの穴を通り抜けるコード又はケーブルを巻き上げるケーブル巻上げ方法である。
【００２１】
ケーブル巻上げ方法は、ボビンから伸びるフィンガを備え、ケーブルがフィンガに嵌合することにより本体においてケーブルがボビン内部で一直線に並ぶものであっても良い。
【００２２】
またさらに実例において、本発明はケーブル又はコードを本体に固定してそこから伸ばすことができ、本体に軸支された回転可能なボビンで少なくとも部分的に囲まれている当該本体と、回転可能なボビン内でボビンの軸とほぼ一直線に並ぶ方向から本体に巻き付け可能なケーブルとを具え、ボビンの回転は、本体の少なくとも１つの突起又はくぼみと、ボビンの少なくとも１つのくぼみ又は突起の相互作用によりインデックスされ、ボビンはコード又はケーブルに滑り動くように嵌合し得る内部ボビン突起を有しており、本体でボビンが回転すると、コード又はケーブルを本体に巻きつけ、内部ボビン突起は、ケーブル又はコードが巻き付いている本体部分付近にループを伸ばすケーブル／コード巻取器である。
【００２３】
またさらに実例において、本発明は、ケーブル又はコードを本体に固定してそこから伸ばし得、本体に軸支された回転可能なボビンで少なくとも部分的に囲まれている当該本体と、回転可能なボビン内でボビンの軸とほぼ一直線に並ぶ方向から本体に巻き付け可能なケーブルとを具え、ボビンの回転は、本体の少なくとも１つの突起又はくぼみと、ボビンの少なくとも１つのくぼみ又は突起の相互作用によりインデックスされ、ボビンはコード又はケーブルに滑り動くように嵌合し得る内部ボビン突起を有しており、本体においてボビンが回転すると、コード又はケーブルを本体に巻きつけ、内部ボビン突起は、ケーブル又はコードが巻き付いている本体部分付近に１本のコード又はケーブルを伸ばすケーブル／コード巻取器である。
【００２４】
あるいは、本発明は上述の各段落で述べた、軸方向に並んだ種類の異なる当該２つのケーブル／コード巻取器を集合的に有するケーブル巻取器であっても良い。
【００２５】
本発明を特徴づける効果と共にこれら及び他の構成は、以下の詳細な説明を読み関連した図面を見ることにより明白となる。
【発明を実施するための最良の形態】
【００２６】
図１に示すように、本発明を適用したコード巻取り装置は、ストラップ１の端部に取付けられ、ユーザが携帯電話機などの小型電子機器を首等から下げるようになされている。コード巻取り装置は電子機器に取り付けられているループ状コード２の引き込み、引き出しをおこなう。
【００２７】
図１〜図３に示すように、本発明を適用したコード巻取装置１０は、ストラップ１の端部１ａが固定され、ループ状コード２が固定されることによりループ状コード２を巻き上げる本体部１１、ループ状コードを本体部１１に巻き付けるコード巻取部２１、及びコード巻取部２１に取り付けられたボビン部３１を含んでなる。
【００２８】
図２及び図３に示すように、本体部１１は、ストラップ１の端部とループ状コード２を固定する本体部１１の固定部１２に、ループ状コード２が巻き付けられる芯部１３を含んでなる。
【００２９】
固定部１２は概円筒形で、筐体の外面の一部を形成している。固定部１２は、互いに重なり合うストラップ１の向かい合う端部１ａが取り付けられる取付凹部１４の上部表面に形成されている。ストラップ１は可撓性の素材でなり、その端部１ａには取付穴１４ａがある。取付凹部１４は、ストラップ１の端部１ａが差し込まれ固定され得るような大きさに作られる。取付凹部１４には、凹みの底面付近の側面に、向かい合わせに形成された貫通孔１４ｂがある。さらに、ストラップ１の端部１ａ近くに、ストラップ１を取付凹部１４に固定する取付穴１４ａが形成されている。ストラップ１の端部１ａは、もう一方の端部１ａと重ねて取付凹部１４に差し込まれ、取付穴１４ａと一直線に並べられる。固定ピン１４ｃは、貫通孔１４ｂと取付穴１４ａにしっかりはめ込まれ、ストラップ１を本体部１１に固定する。これにより、ストラップ１は例えばループ状構造で固定部１２に取り付けられる。
【００３０】
さらに、図２及び図３に示すように、ループ状コード２を本体部１１に固定する手段として、挿入孔１５ａの反対側に連続して形成された第１の凹部１５ｂ及び第２の凹部１５ｃと共に放射状に形成された挿入孔１５ａが設けられている。図３に示すように、コード２の端部は第２の凹部１５ｃ側からそろえて一列に並べられた状態で挿入孔１５ａに固定され、第１の凹部１５ｂ側において、コード２の端部に端部結び目もしくはストッパ１５ｄが形成されることにより、ループ状コード２が挿入孔１５ａからすべり落ちるのを防ぐ。よってループ状コード２は第２の凹部１５ｃから芯部１３側に引き出される。なお図３の場合、端部１５ｄには端部をとどめておくように結び目がある。コーキング材１５ａでループ２の端部を保持する図８に示すように、端部処理部１５ｄをコーキング材で形成してループ状コード２の反対側端部を止めても良い。
【００３１】
上述のように概円筒形の芯部１３は、本体部１１の固定部１２のようなものの下方面に形成されている。芯部１３は軸方向に形成されたスリット１６ａを有し、その中央部にスリット１６ａに通じるように半径方向に形成された貫通孔１６ｂを有する。ループ状コード２は第２の凹部１５ｃから引き出され、スリット１６ａに向かって芯部１３の半径方向に伸びるように形成された貫通孔１６ｂに挿入されており、スリット１６ａを通り抜けて芯部１３の端部から引き出されている。
【００３２】
芯部１３はスリット１６ａによって２分割された状態にあり、芯部１３の半体１７ａは半径方向に弾力性をもつように配置され得る。さらに、本体部１１をコード巻取部２１に取付けるロック突起１７ｂが芯部１３の半体１７ａの外に向いている突起として形成される。さらに、本体部１１に対してコード巻取部２１とボビン部３１の回転範囲を制限するためのストッパ突起１８が芯部１３の根元部分に形成されている。
【００３３】
図２〜図４でわかるように、上述のように本体部１１が取付けられているコード巻取部２１は、概円筒形に形成され、コード巻取部２１の内側面において、ボビン部３１に抑え板２２が取付けられている。本体部１１の芯部１３の端部は、半体１７ａの弾力でずれるため、概リング状の抑え板２２の中心部開口２２ａに差し込まれ、ロック突起１７ｂは抑え板２２の開口２２ａの周辺部でロックされる。その結果、コード巻取部２１が本体部１１の回転に対して抜け落ちない状態に取付けられる。概管状のコード巻取部２１は本体部１１側のコード巻取り部２１の開口端に形成され、ストッパ突起１８と嵌合する。したがって、コード巻取部２１は、例えばストッパ２３が本体部１１のストッパ突起１８とかみ合わない範囲、例えば本体部１１に対して約９０°〜２７０°以上回転しても良い。つまり、コード巻取部２１の回転範囲は、ストッパ突起１８とストッパ２３の位置と大きさ、ループ状コード２の長さ、ボビン部３１の端部から引き出されるループ状コード２の長さの調節量などを考慮して決定される。
【００３４】
さらに、図６に示すように、内側に突き出るように歯車２４が概円筒形のコード巻取部２１に形成されている。コード巻取部２１が本体部１１に取付けられる場合、歯車２４は固定部１２の第２の凹部１５ｃから芯部１３の貫通孔１６ｂに伸びるループ状コード２とかみ合うようになされている。そして本体部１１に対してコード巻取部２１が図６の矢印で示される方向に回転すると、コード２が歯車２４によって芯部１３に巻き付けられる。
【００３５】
本体部１１側の歯車２４の表面には突起２４ａが形成されている。突起部２４ａは、固定部１２の下方面と芯部１３を中心にして滑らかにかみ合う。突出部２４ｂは、芯部１３を中心にして、例えば突起２４ａが滑らかにかみ合っている固定部１２の下部表面に半径方向に形成されている。したがって、コード巻取部２１が本体部１１に対して回転する場合、歯車２４の突起２４ａは芯部１３を中心として、固定部１２の下方面に形成されている突出部２４ｂに沿って移動することにより、カチッと歯止めされる感覚をユーザに与える。
【００３６】
本体部１１に対して、ボビン部３１はコード巻取部２１と合体されて取付けられる部材であり、コード巻取部２１と合体して回転し、本体部１１の固定部１２と共に筐体外側の一部分を形成する。ボビン部３１は、ユーザがループ状コード２を巻き上げる又は引き出すための回転操作を行う場合、操作部として働く。ボビン部３１は、本体部１１の下部を囲んでおり、コード巻取部２１が取付けられているカラー３２、及びループ状コード２を引き出す引出し部３３を含んでなる。
【００３７】
コード巻取部２１の複数の嵌合突起２５がカラー３２の内周にあるスロット３４とかみ合うことにより、歯車２４はボビン部３１と合体して回転する。コード巻取部はカラー３２の突起３６にパチンとはまる突起２６により保持される。
【００３８】
カラー３２は、コード巻取部２１がカラー３２に収容される大きさに作られ、フランジのように突き出た本体部１１の固定部１２の上面１２ａが外部に露出している。嵌合溝（スロット）３４は、コード巻取部２１の外周面に形成された嵌合突起２５とかみ合うようにして取付け部３２の内周面に形成されている。
【００３９】
引出し部３３は、取付け部３２より小さい直径をもつように形成され、ループ状コード２を外部に引き出すための開口３５が引出し部３３の端部に形成されている。開口３５は仕切り部３５ａによって２つに分割され、ループ状コード２は引出し口３５ｂから引き出される。特に、ループ状コード２において開口３５の外部にループ２ａが形成され、ループ状コード２のループ２ａが仕切り部３５ａに引っかかるまで巻き上げることができるため、ループ２ａの端部が中に入り込むことはない。
【００４０】
なお上述のように、たとえ仕切り部３５ａがボビン部３１の開口３５にではなくコード巻取部２１の取付板２２の開口２２ａに設けられていたとしても、ほぼ同じ効果を得ることができる。
【００４１】
上述したようなコード巻取装置１０を組み立てるために、図３に示すように、第１のコード巻取部２１がパチンとはまることにより、コード巻取り部２１の嵌合突起２５がボビン部材３１の嵌合溝３４とかみ合うまで突起２６がボビン部３１の突起３６に載ることになる。これによりコード巻取部２１とボビン部３１が一体になる。
【００４２】
そして、ループ状ではない一本のコード２の端部がそれぞれ引出し口３５ｂに差し込まれ、端部が一列に並べられた状態でコード巻取部２１の取付板２２の開口２２ａに差し込まれる。さらに、コード２の端部はスリット１６ａを過ぎ貫通孔１６ｂを介して本体部１１の芯部１３の端部から引き出された後、挿入孔１５ａを介して第２の凹部１５ｃから第１の凹部１５ｂに引き出される。その結果、固定部１２の第２の凹部１５ｃから芯部１３の貫通孔１６ｂに伸びるループ状コード２は歯車２４にかみ合う。そしてコード２の端部は、第１の凹部１５ｂでお互いに結び合わされることにより、ループ状コード２はループ状の状態を示す。端部１５ｄの直径は挿入孔１５ａより大きいため、挿入孔１５ａによってコードが外れることはない。
【００４３】
その後図７に示すように、本体部１１はボビン部３１に取付けられたコード巻取部２１に差し込まれ、芯部１３の端部は半体１７ａの弾力によるずれによって取付板２２の中心開口２２ａに差し込まれる。これにより本体部１１はコード巻取部２１に取付けられる。そして、本体部１１は、芯部１３をストラップ１に固定するための貫通孔１４ｂ及びループ状コード２を固定する第１及び第２の凹部１５ｂ、１５ｃがボビン部３１に隠れるようにしてボビン部３１に取付けられ、上面１２ａを形成する下部の段部分は、ボビン部３１の取付け部３２の上部開口端に接することになる。
【００４４】
なおストラップ１が本体部１１に取り付けられるのは、本体部１１がコード巻取部２１に取付けられる前でも後でも良い。
【００４５】
上述の構成を有するコード巻取装置１０の操作方法について、図６及び図７を用いて説明する。ボビン部３１の端部から引き出されたループ状コード２を巻き上げるため、ボビン部３１に取付けられたコード巻取部２１は、本体部１１に対して反対方向に回転する。その結果、固定部１２の第２の凹部１５ｃから芯部１３の貫通孔１６ｂに伸びたループ状コード２がかみ合っている歯車２４は、ボビン部３１と共に回転するコード巻取部２１の回転と共に、本体部１１の芯部１３を中心としてループ状コード２を巻付ける。したがって、ボビン部３１の開口３５から引き出されたループ状コード２が巻き上げられ、開口３５からの長さは短くなる。その結果、ループ状コード２を開口３５の仕切り部３５ａに引っかかるまで巻き上げることができる。
【００４６】
一方、開口３５から引き出されたループ状コード２をボビン部３１の端部において出させるため、ボビン部３１に取付けられたコード巻取部２１は、本体部１１に対し、もう一方の反対方向に回転する。その結果、本体部１１の芯部１３に巻きついたループ状コード２が緩み、自動的に、またはユーザがボビン部３１の開口３５から引き出されたループ状コード２を引っぱることによって、外に引き出すことができる。
【００４７】
ボビン部３１が回転すると、歯車２４の突起２４ａが芯部１３を中心として固定部１２の下部表面に形成された凹凸形状に沿って動いているような、もどり止めの感覚をユーザに与える。
【００４８】
上述のように、本発明を適用したコード巻取装置１０において、ボビン部３１と合体して取付けられたコード巻取部２１の歯車２４を使用しているユーザは、ボビン部３１を回転操作することにより、止め具１８及び２３が移動可能な範囲内で、ボビン部３１の端部から引き出された、携帯電話機など小型電子装置を取付けるループ状コード２の長さを所望の長さに変えることができる。
【００４９】
図９の第２の実施の形態の巻取器はコード巻取器の斜視図を示し、それぞれがイヤホンに接続されたコード３９及び４０を有する本体１１及び巻取りボビン部３２からなる。巻取器は細いひも２でぶら下げることができ、ボビン部内に保持される中央円筒部１３に巻き付け可能な供給電源に接続される電気コード３８を有していても良い。ボビン３２は、円筒部１３の先端において溝に伸びる、軸つばに代わるフィンガ３７がある外部円筒面を有することにより、コード３８が当該２本のコードやジャーナルの回転に引っ掛かることを防止する。
【００５０】
コード３８はボビン３２の回転によって、巻きつけられまた円筒部１３付近の格納場所からほどけるようになされている。
【００５１】
図１０は、図１１と共に見ると最適なように、格納部分の開口端と、格納限度を限定して巻上げボビンを固定する働きをする渦巻き突出面４３の間の延長円筒面４２を有する円筒部の操作端についてより詳細に示す。渦巻き面４３の内側端部は外方に偏った可撓性の歯車４４で終わっており、軸支面４５は本体内側の渦巻き面４３の残り付近に伸びている。
【００５２】
図１１の断面図に示すように、ボビン３２は、望ましくは曲線的であり、可撓性の歯車２４ａと共に動く表面突起２４ｂを有することにより、本体１１におけるボビン３２の回転をインデックスし、突起２４ｂ及び歯車２４ａはどちらの方向にも回転できるが、不意の動きを防ぐ。
【００５３】
突起２４ｂの大きさは、組立て部品としては渦巻き面４３を越えていても良いが、その後突起２４ｂは、面３３上でのフィンガ３７の相互作用により軸支したボビン３２の外側端部と共に、軸支面４５における渦巻き面の回転範囲内で横方向に引っ掛かる。したがって要約して言うと、突起はボビン３２内部の限界を定めるカラーの働きをする。
【００５４】
望ましくは２つの半体から組み立てられる本体１１は、電子回路基板４６を含んでいても良く、これによりケーブルの接続ができ、またケーブル３８の内側端部を固定し得る。
【００５５】
図１２に示すように、電源コード３８は巻取りボビン３２におおむね含まれていても良い。
【００５６】
図ではボビン上に４つのフィンガー３７を示したが、本体１１においてボビンを楽に回転させる、もっと少数又は多数のフィンガーを用いても良く、ケーブル用としては、スロットが１つある固いカラーからなっていても良い。
【００５７】
１つの可撓性の歯車２４ｂを示したが、本体１１におけるボビンの場所とつり合う偏りを備えることを望む場合は、１つ以上の歯車を使用しても良い。
【００５８】
なおストラップ１は、アクセサリ等が取付けられるタイプのものであっても良く、ループ状コード２に取付けられる物は小型電子機器に限らない。
【００５９】
上述の本発明の２つの実施の形態によれば、コード、ワイヤー、ケーブルをそれぞれ装置の回転軸を通るコード、又は装置の回転軸から外れて巻取器に入るコードをもつ巻取器の軸方向に巻き取ることができる。もし所望の両実施例を１つの機構に含むことができれば、つり下げたアイテムを支えるひもと、アイテムに接続されたヘッドホンのコードの両方を調節することができる。
【００６０】
本発明のいくつかの実施例の構成と作用の詳述と共に、多数の特徴と本発明のいくつかの実施例の利点を上述の説明に開示したが、本開示は実例に関してのみであり、本発明の機能が不都合に作用しない限り、細部は変更を加えても良いと解釈するものである。例えばコード巻取器の個々の構成要素は、本発明の範囲からそれることなく使用される個々の案件によって異なり得る。
【００６１】
さらに、本明細書で述べられた実施例は、ヘッドホン又はイヤホンのコード巻取器を示すものであるが、本発明の教示はアイロンやハンドドリル等もっと大きな機械用のケーブル巻取器など、本発明の範囲及び目的からそれていない他の装置にも適用し得ることを当業者によって認識するものである。
【産業上の利用可能性】
【００６２】
本発明のコード巻取器は汎用電子機器の分野で用いられ、携帯型機器用の長さ調節が可能なケーブル又はコードをユーザに提供する。
【図面の簡単な説明】
【００６３】
【図１】第１の実施の形態のコード巻取器の斜視図である。
【図２】図１の分解組立図である。
【図３】図１の断面組立図である。
【図４】図２の巻付け部の上面図である。
【図５】巻付け部を適切にはずしたボビン部の上面図である。
【図６】ボビンの大部分が影になっている巻取器の斜視図である。
【図７】図１の断面組立図である。
【図８】コード巻取器に使う補助コードの図である。
【図９】第２の実施の形態のコード巻取器の全体斜視図である。
【図１０】ボビンが影になっている第２のコード巻取器の中心部の斜視図である。
【図１１】図１０の線分ＡＡによる垂直面の断面図である。
【図１２】使用時のコード巻取器の斜視図である。
【図１】
2009057132.tif 000003
【図２】
2009057132.tif 000004
【図３】
2009057132.tif 000005
【図４】
2009057132.tif 000006
【図５】
2009057132.tif 000007
【図６】
2009057132.tif 000008
【図７】
2009057132.tif 000009
【図８】
2009057132.tif 000010
【図９】
2009057132.tif 000011
【図１０】
2009057132.tif 000012
【図１１】
2009057132.tif 000013
【図１２】
2009057132.tif 000014
【外国語明細書】
CABLE OR CORD WINDER
Technical Field
The invention generally relates to winding mechanisms for cords or cables or
similar elongate articles.  More particularly the invention relates to
winding mechanisms for small gauge electronic cables or support cords such as
are used on headphones.
Background Art
Articles such as cable winding mechanisms are known, see for instance
JP-A-H09-154196 which describes a plug mounted cable drum with a gear or handle
wound drum having a detent mechanism.  JP-A-H07-312484 similarly shows a
spring tensioned winding drum with a detent mechanism which may be incorporated
in mechanisms such as keyboards and telephones.
Such winders do not provide mechanisms which are as simple as possible, 
requiring slip rings or sockets to make contact with the outgoing conductors, a
carefully journalled axle to rotate the winding drum around and a carefully
crafted detent mechanism to stop the cord unwinding unless required.
Therefore a need exists for a solution to the problem of providing a simple
easily constructed method of winding cords or cables.
It is acknowledged that the term ‘comprise’ may, under varying
jurisdictions, be attributed with either an exclusive or an inclusive meaning. 
For the purpose of this specification, and unless otherwise noted, the term
‘comprise’ shall have an inclusive meaning - i.e. that it will be taken to
mean an inclusion of not only the listed components it directly references, but
also other non-specified components or elements.  This rationale will also
be used when the term ‘comprised’ or ‘comprising’ is used in relation to
one or more steps in a method or process.
The term ‘cords’ is used in this specification to include cords, cables,
wires and other elongate flexible tendons.
The present invention provides a solution to the above and other problems
which offers advantages over the prior art.
Summary of the Invention
The invention relates to a cable or cord winder consisting of a body to
which a cable or cord may be anchored and from which the cable or cord may
extend and which body is at least partially surrounded by a rotatable bobbin
journalled upon the body, the cable being windable onto the body within the
rotatable bobbin from a direction substantially aligned with the bobbin axis,
wherein the bobbin rotation is indexed by coaction between at least one
projection or depression on the body and at least one depression or projection
on the bobbin.
In one embodiment, the bobbin has an external cylindrical surface and
internal axially spaced surfaces bearing on the body.
In another embodiment, one axially spaced surface consists of multiple
fingers extending into contact with the body, the cord or cable passing out of
the bobbin between two adjacent fingers of the multiple fingers.
The number of multiple fingers may be four.
The cord or cable may extend from the body aligned in the direction of the
bobbin axis and pass slidably into the body within the bobbin.
In an embodiment, the bobbin has an internal bobbin projection slidably
engagable with the cord or cable to wrap it around the body as the bobbin is
rotated on the body.
In another embodiment, the projection or depression on the body consists of
a flexible projection and the depression or projection on the bobbin consists
of multiple projections.
In one embodiment, the body has a single projection and the bobbin has eight
projections.
In a further embodiment, the projection or depression on the body consists
of multiple projections and the depression or projection on the bobbin consists
of a fixed projection and the bobbin is flexibly mounted to the body.
In a yet further embodiment, the bobbin may be rotated in either direction.
The winder may be supported by a strap.
Alternatively, the invention may be said to lie in a method of winding a
cable comprising providing a body with at least one cylindrical portion,
providing a bobbin rotatable on the cylindrical body portion the bobbin having
at least one hole providing external access through a side of the bobbin to a
toric space within the bobbin, providing a detent mechanism resisting rotation
of the bobbin on the body, and rotating the bobbin relative to the body to wind
a cable through the side of the bobbin onto the body.
In a further exemplification, the invention lies in a method of winding a
cable comprising providing a body with at least one cylindrical portion,
providing a bobbin rotatable on the cylindrical body portion the body portion
having at least one hole providing external access to a space within the
bobbin, providing a detent mechanism resisting rotation of the bobbin on the
body, and rotating the bobbin relative to the body to wind a cord or cable
through the one hole to the space within the bobbin.
The method may include providing a finger extending from the bobbin and 
engaging the cable with the finger to align the cable on the body within the
bobbin.
In yet a further exemplification, the invention lies in a cable or cord
winder consisting of a body to which a cable or cord may be anchored and from
which the cable or cord may extend and which body is at least partially
surrounded by a rotatable bobbin journalled upon the body, the cable being
windable onto the body within the rotatable bobbin from a direction
substantially aligned with the bobbin axis, wherein the bobbin rotation is
indexed by coaction between at least one projection or depression on the body
and at least one depression or projection on the bobbin and the bobbin has an
internal bobbin projection slidably engagable with the cord or cable to wrap it
around the body as the bobbin is rotated on the body wherein the internal
bobbin projection extends a loop around the body portion on which the cable or
cord is wrapped.
In yet a further exemplification, the invention lies in a cable or cord
winder consisting of a body to which a cable or cord may be anchored and from
which the cable or cord may extend and which body is at least partially
surrounded by a rotatable bobbin journalled upon the body, the cable being
windable onto the body within the rotatable bobbin from a direction
substantially aligned with the bobbin axis, wherein the bobbin rotation is
indexed by coaction between at least one projection or depression on the body
and at least one depression or projection on the bobbin and the bobbin has an
internal bobbin projection slidably engagable with the cord or cable to wrap it
around the body as the bobbin is rotated on the body wherein the internal
bobbin projection extends a single strand of cord or cable around the body
portion on which the cable or cord is wrapped.
Alternatively, the invention may lie in a cable winder assembly having
axially arranged two cable or cord winders of the different kinds referred to
in each of the paragraphs above.
These and other features of as well as advantages which characterise the
present invention will be apparent upon reading of the following detailed
description and review of the associated drawings.
Brief Description of the Drawings
FIG. 1 is a perspective view of a first version of a cord winder
FIG. 2 is an exploded view of FIG.1
FIG. 3 is a cross-sectional exploded view of FIG. 1
FIG. 4 is a top view of the take up member of FIG. 2
FIG. 5 is a top view of the bobbin member without the take up member in
place.
FIG. 6 is a perspective view of the winder with the majority of the bobbin
ghosted.
FIG. 7 is a cross-sectional assembled view of FIG. 1
FIG. 8 is a view of a support cord for use in the cord winder.
FIG. 9 is a general perspective view of a second version of a cord winder.
FIG. 10 is a perspective view of the central portion of the second cord
winder with the bobbin ghosted.
FIG. 11 is a cross-sectional view in the vertical plane on line A-A of 
FIG.10.
FIG. 12 is a perspective view of the cord winder in use.
Detailed Description and Best Mode
As shown in FIG. 1, the cord winding apparatus to which the present
invention is applied is attached to end portions of a strap 1 by which a user
suspends a small-sized electronic apparatus such as portable telephone set from
the neck or the like.  The cord winding apparatus winds in and out a loop-
shaped cord 2 attached to the electronic apparatus.
As shown in FIGS. 1 to 3, the cord winding apparatus 10 to which the present
invention is applied includes a body member 11 to which end portions 1a, 1a of
the strap 1 are secured and to which the loop-shaped cord 2 is secured and
which takes up the loop-shaped cord 2, a cord winding member 21 for wrapping
the loop-shaped cord around the body member 11, and a bobbin member 31 attached
to the cord winding member 21.
The body member 11 includes, at a fixing portion 12 thereof for fixing end
portions of the strap 1 and the loop-shaped cord 2, a core portion 13 around
which the loop-shaped cord 2 is to be wrapped, as shown in FIGS. 2 and 3.
The fixing portion 12 is formed in a substantially cylindrical shape and
forms part of an outer housing.  The fixing portion 12 has formed on an
upper face thereof an attaching recessed portion 14 to which the opposite end
portions 1a, 1a of the strap 1 which overlap with each other are to be
attached. The strap 1 is a flexible material and has attaching holes 14a, 14a
formed at the end portions 1a, 1a thereof.  The attaching recessed
portion 14 is sized such that the end portions 1a, 1a of the strap 1 can be
inserted and held therein.  The attaching recessed portion 14 has
through-holes 14b, 14b formed on side faces opposed to each other near the
bottom face of the recess.  Further, the attaching holes 14a, 14a for
fixing the strap 1 to the attaching recessed portion 14 are formed near the
end portions 1a, 1a of the strap 1.  The end portions 1a, 1a of the
strap 1 are inserted in the attaching recessed portion 14 with the end
portions 1a, 1a overlapping with other and are aligned with the attaching
holes 14a, 14a.  A fixing pin 14c is force fitted into the through-holes
14b, 14b and the attaching holes 14a, 14a to fix the strap 1 to the body
member 11.  The strap 1 is thereby attached, for example, in a loop-
shaped configuration to the fixing portion 12.
Further, as shown in FIGS. 2 and 3, an insertion hole 15a formed in a
radial direction with a first recessed portion 15b and a second recessed
portion 15c formed continuously on the opposite sides of the insertion hole 15a
are provided as means for fixing the loop-shaped cord 2 to the body member 11.
As shown in FIG. 3, the cord 2 is fitted with the end portions thereof held in
a lined up state into the insertion hole 15a from the second recessed portion
15c side and an end portion knot or stopper 15d is formed at an end portion of
the cord 2 on the first recessed portion 15b side to prevent the loop-shaped
cord 2 from slipping out of the insertion hole 15a.  Accordingly, from the
second recessed portion 15c, the loop-shaped cord 2 is led out to the core
portion 13 side.  It is to be noted that, in the case of FIG. 3, the end
portion 15d includes a knot so as to retain the end portions.  The end
portion processing portion 15d may be formed from a caulking member to secure
the opposite ends of the loop-shaped cord 2 as shown in FIG. 8 where a caulking
member 15a retains the end of loop 2.
The core portion 13 of a substantially cylindrical shape is formed on a
lower face of such a fixing portion 12 of body member 11 as described above.
The core portion 13 has a slit 16a formed in an axial direction, and has a
through-hole 16b formed at a middle portion thereof in a radial direction in
such a manner as to open into slit 16a.  The loop-shaped cord 2 is led out
from the second recessed portion 15c and is inserted into a through-hole 16b
formed so as to extend to the slit 16a in a radial direction of the core
portion 13, and passes through the slit 16a and is led out from an end portion
of the core portion 13.
The core portion 13 has a half-divided state because of the slit 16a
thereof, and half bodies 17a, 17a of the core portion 13 can be resiliently
displaced in a radial direction.  Further, locking projections 17b, 17b
for attaching the body member 11 to the cord winding member 21 are formed as
outwardly directed projections of the half bodies 17a, 17a of the core portion
13.  In addition, a stopper projection 18 for restricting the range of
rotation of the cord winding member 21 and the bobbin member 31 relative to the
body member 11 is formed at a root portion of the core portion 13.
The cord winding member 21 to which the body member 11 as described above is
attached is formed in a substantially cylindrical shape as seen in FIGS. 2 to
4, and an retaining plate 22 is attached to the bobbin member 31 on the inner
side of the cord winding member 21.  An end portion of the core portion 13
of the body member 11 is inserted into a central opening 22a of the
substantially annular retaining plate 22 through resilient displacement of the
half bodies 17a, 17a, and the locking projections 17b, 17b are locked at
peripheral portions of the opening 22a of the retaining plate 22.
Consequently, the cord winding member 21 is attached for rotation on the body
member 11 in a state wherein it is prevented from coming off.  The
substantially tubular cord winding member 21 has a stop 23 formed at an opening
end thereof on the body member 11 side for engaging with the stopper projection
18.  Accordingly, the cord winding member 21 may be rotated, for example,
within a range in which the stopper 23 does not engage with the stopper
projection 18 of the body member 11, for example, over approximately 90° to
270° with respect to the body member 11.  In other words, the range of
rotation of the cord winding member 21 is determined taking the location and
size of stopper projection 18 and the stopper 23, the length of the loop-shaped
cord 2, the adjustment amount of the length of the loop-shaped cord 2 to be led
out from the end portion of the bobbin member 31 and so forth into
consideration.
Further, a tooth 24 is formed on the substantially cylindrical cord winding
member 21 such that it projects to the inner side as shown in FIG. 6.
When the cord winding member 21 is attached to the body member 11, the tooth 24
engages with the loop-shaped cord 2 which extends from the second recessed
portion 15c of the fixing portion 12 to the through-hole 16b of the core
portion 13.  Then, when the cord winding member 21 is rotated in the
direction indicated by an arrow mark in FIG. 6 relative to the body member 11,
the tooth 24 winds the cord 2 on the core portion 13.
A projection 24a is formed on a face of the tooth 24 on the body member 11
side.  The projection 24a slidably engages with a lower face of the fixing
portion 12 around the core portion 13.  Protrusions 24b are formed, for
example, radially on the lower face of the fixing portion 12 with which the
projection 24a slidably engages, around the core portion 13.  Accordingly,
when the cord winding member 21 is rotated relative to the body member 11, the
projection 24a of the tooth 24 moves along the protrusions 24b formed on the
lower face of the fixing portion 12 around the core portion 13 thereby to
provide a click feeling to the user.
The bobbin member 31 is a member which is attached integrally to the cord
winding member 21 and rotates integrally with the cord winding member 21 with
respect to the body member 11, and forms part of an outer housing together with
the fixing portion 12 of the body member 11.  The bobbin member 31 serves
as an operating section when the user performs a rotating operation for taking
up or taking out the loop-shaped cord 2.  The bobbin member 31 includes a
collar 32 which surrounds the lower portion of body member 11 and to which the
cord winding member 21 is attached, and a lead out portion 33 for leading out
the loop-shaped cord 2.
A plurality of engaging projections 25, 25 on cord winding member 21 engage
with slots 34, 34 on the inner circumference of collar 32 to cause tooth 24 to
rotate integrally with the bobbin member 31. The cord winding member is
retained by projections 26 which snap fit over projections 36 on the collar 32.
The collar 32 is sized so that the cord winding member 21 is accommodated in
the collar 32 and the top face 12a of the fixing portion 12 of the body member
11 which projects like a flange is exposed to the outside.  Engaging
grooves 34, 34 are formed on an inner circumferential face of the attaching
portion 32 in such a manner as to engage with the engaging projections 25, 25
formed on an outer circumferential face of the cord winding member 21.
The lead out portion 33 is formed so as to have a reduced diameter from that
of the attaching portion 32, and an opening 35 for leading out the loop-shaped
cord 2 to the outside is formed at an end portion of the lead out portion 33.
The opening 35 is partitioned in two by a partitioning portion 35a, and the
loop-shaped cord 2 is led out from leading openings 35b, 35b.  In
particular, the loop-shaped cord 2 forms a loop 2a on the outside of the
opening 35 and can be taken up until the loop 2a of the loop-shaped cord 2 is
caught by the partitioning portion 35a so that the end of the loop 2a does
not enter the inside.
It is to be noted that a substantially similar effect can be achieved even
if the partitioning portion 35a is not provided at the opening 35 of the bobbin
member 31 as described above but provided at the opening 22a in the attaching
plate 22 of the cord winding member 21.
In order to assemble such a cord winding apparatus 10 as described above, as
shown in FIG. 3, first the cord winding member 21 is snap fitted so that the
projections 26 rides over the engaging portion 36 of the bobbin member 31 until
the engaging projections 25, 25 of the cord winding member 21 are engaged with
the engaging grooves 34, 34 of the bobbin member 31 thereby to integrate the
cord winding member 21 and the bobbin member 31 with each other.
Then, end portions of the single cord 2 which is not in a loop-shaped state
are individually inserted into the leading openings 35b, 35b, and then, in a
state wherein the end portions are lined up, they are inserted into the
opening 22a of the attaching plate 22 of the cord winding member 21. Further,
the end portions of the cord 2 are led out from the end portion of the core
portion 13 of the body member 11 through the through-hole 16b past the slit
16a, and then are led out from the second recessed portion 15c to the first
recessed portion 15b through the insertion hole 15a.  Thereupon, the
loop-shaped cord 2 which extends from the second recessed portion 15c of the
fixing portion 12 to the through-hole 16b of the core portion 13 is engaged
with the tooth 24.  The end portions of the cord 2 are then tied to each
other at the first recessed portion 15b so that the cord 2 exhibits a loop-
shaped state.  The end portion 15d has a greater diameter than the
insertion hole 15a so that the cord does not slip through the insertion hole
15a.
Thereafter, as shown in FIG. 7, the body member 11 is inserted into the cord
winding member 21 attached to the bobbin member 31, and the end portion of the
core portion 13 is inserted into the central opening 22a of the attaching plate
22 through resilient displacement of the half bodies 17a, 17a so that the body
member 11 is attached to the cord winding member 21.  Then, the body
member 11 is attached to the bobbin member 31 such that the through-holes 14b,
14b for securing the core portion 13 to the strap 1 and the first and second
recessed portions 15b, 15c for securing the loop-shaped cord 2 are hidden by
the bobbin member 31 and a stepped portion on the lower side which forms the
top face 12a abuts with the upper side opening end of the attaching portion 32
of the bobbin member 31.
It is to be noted that the strap 1 may be attached to the body member 11
before or after the body member 11 is attached to the cord winding member 21.
An operating method for the cord winding apparatus 10 having a
configuration as noted above is described with reference to FIGS. 6 and 7. In
order to take up the loop-shaped cord 2 led out from the end portion of the
bobbin member 31, the cord winding member 21 attached to the bobbin member 31
is rotated in one of the opposite directions with respect to the body member 11.
Consequently, the tooth 24 with which the loop-shaped cord 2 extending from the
second recessed portion 15c of the fixing portion 12 to the through-hole 16b of
the core portion 13 is engaged wraps the loop-shaped cord 2 around the core
portion 13 of the body member 11 together with rotation of the cord winding
member 21 which rotates together with the bobbin member 31.  Consequently,
the loop-shaped cord 2 led out from the opening 35 of the bobbin member 31 is
taken up to reduce the length thereof from the opening 35.  Thereupon, the
loop-shaped cord 2 can be taken up until it is caught by the partitioning
portion 35a of the opening 35.
On the other hand, in order to let out the loop-shaped cord 2 led out from
the opening 35 at the end portion of the bobbin member 31, the cord winding
member 21 attached to the bobbin member 31 is rotated in the other one of the
opposite directions with respect to the body member 11.  Consequently, the
loop-shaped cord 2 wrapped around the core portion 13 of the body member 11 is
slackened and may be taken out to the outside automatically or if the user
pulls the loop-shaped cord 2 led out from the opening 35 of the bobbin member
31.
When rotating the bobbin member 31 a detent feeling is provided to the user
as the projection 24a of the tooth 24 moves along the concave and convex
configuration formed on the lower face of the fixing portion 12 around the core
portion 13.
As described above, according to the cord winding apparatus 10 to which the
present invention is applied, by rotatably operating the bobbin member 31, the
length of the loop-shaped cord 2 led out from the end portion of the bobbin
member 31 for attaching a small-sized electronic apparatus such as a portable
telephone set can be varied to a desired length by the user using the tooth 24
of the cord winding member 21 attached integrally to the bobbin member 31,
within the confines of movement available with stops 18 and 23.  
Referring now to a second version of the winder in FIG. 9, a perspective
view of a cord winder is shown and consists of a body 11 and a winding bobbin
portion 32 with cords 39, 40 each to an earphone.  The winder may be
suspended by a lanyard 2 and has an electrical cord 38 to a supply source, the
cord being windable around a central cylindrical portion 13 to be retained
within the bobbin portion.  Bobbin 32 has an external cylindrical surface
with fingers 37 which substitute for an axial collar, extending in to a groove
at the tip of cylindrical portion 13 to prevent the cord 38 from being trapped
between the two and to journal the rotation.  
Rotation of the bobbin 32 will either wind or unwind cord 38 from storage
around cylindrical portion 13.
FIG. 10 shows the operative end of the cylindrical portion in more detail
with an extended cylindrical surface 62 between the open end of the storage
portion and a scrolled projecting surface 43 which both limits the storage
extent and acts to retain the winding bobbin as best seen in conjunction with
FIG. 11.  The inner end of scrolled surface 43 ends in an outwardly biased
flexible tooth 44 and a journaling surface 45 extends around remainder of the
body inside scrolled surface 43.
As shown in the cross-section FIG. 11 bobbin 32 has surface projections 24b
which are preferably rounded and which coact with flexible tooth 24a to provide
indexing of the rotation of the bobbin 32 on body 11, the projections 24b and
tooth 24a allowing rotation in either direction but preventing inadvertent
movement.  
Projections 24b of are of such a size that they may be forced over surface
43 for assembly but are then trapped laterally within the scrolled surface for
rotation on journaling surface 45, with the outer end of the bobbin 32
journalled by the coaction of fingers 37 on surface 33.  The projections
therefore act as an abbreviated collar delimiting the inward extent of the
bobbin 32.
Body 11, which is preferably assembled from two halves, may contain
electronic circuit board 46 to allow connection of cables and anchoring of the
inner end of cable 38.
As shown in FIG. 12 the supply cord 38 may be substantially contained within
the winder bobbin 32.
While the drawings show four fingers 37 on the bobbin a lesser or greater
number may be used, consistent with easy rotation of the bobbin on the body 11,
and may consist of a solid collar with a single slot for the cable.
While one flexible tooth 24b is shown more may be used if it is desired to
provide a balanced bias to the bobbin location on body 11.
It is to be noted that the strap 1 may be of the type wherein an accessory
or the like is attached thereto, and the article to be attached to the loop-
shaped cord 2 is not limited to a small-sized electronic apparatus.
The two variations of the invention described above allow the winding of a
cord, wire or cable axially of a winder with, respectively, the cord passing
through the device rotation axis, or entering the winder offset from the device
rotation axis.  If desired both embodiments may be included in a single
mechanism, allowing adjustment of both a supporting cord for a suspended item
and the cord of a headset plugged in to the item.
It is to be understood that even though numerous characteristics and
advantages of the various embodiments of the present invention have been set
forth in the foregoing description, together with details of the structure and
functioning of various embodiments of the invention, this disclosure is
illustrative only, and changes may be made in detail so long as the functioning
of the invention is not adversely affected.  For example the particular
elements of the cord winder may vary dependent on the particular application
for which it is used without departure from the scope of the present invention.
In addition, although the preferred embodiments described herein are
directed to a cord winder for headsets or earphones, it will be appreciated by
those skilled in the art that the teachings of the present invention can be
applied to other systems such as cable winders for larger mechanisms such as
irons and hand drills, without departing from the scope and objective of the
present invention.
Industrial Applicability
The cord winder of the invention is used in the field of consumer
electronics to present a user with an adjustable length of cable or cord for a
portable appliance. 
CLAIMS
１．A cable or cord winder comprising of a body (11) to which a cable or cord
(2, 38) may be anchored and from which the cable or cord may extend and which
body is at least partially surrounded by a rotatable bobbin (31) journalled
upon the body, the cable being windable onto the body within the rotatable
bobbin from a direction substantially aligned with the bobbin axis, wherein
the bobbin rotation is indexed by coaction between at least one projection
(24b) or depression on the body and at least one depression or projection
(24a) on the bobbin.
２．A cable or cord winder as claimed in claim 1 wherein the bobbin has an
external cylindrical surface (32) and internal axially spaced surfaces (22, 25,
37, 35) bearing on the body.
３．A cable or cord winder as claimed in claim 2 wherein one axially spaced
surface consists of multiple fingers (37) extending into contact with the body,
the cord or cable passing out of the bobbin between two adjacent fingers of
the multiple fingers.
４．A cable or cord winder as claimed in claim 3 wherein the number of multiple
fingers is four.
５．A cable or cord winder as claimed in claim 1 wherein the cord or cable
extends from the body aligned in the direction of the bobbin axis and passes
slidably (16b) into the body within the bobbin.
６．A cable or cord winder as claimed in claim 5 wherein the bobbin has an
internal bobbin projection (24, 37) slidably engagable with the cable or cord
to wrap it around the body as the bobbin is rotated on the body.
７．A cable or cord winder as claimed in claim 1 wherein the projection or
depression on the body consists of a flexible projection (24b) and the
depression or projection on the bobbin consists of multiple projections (24a).
８．A cable or cord winder as claimed in claim 7 wherein the body has a single
projection and the bobbin has eight projections.
９．A cable or cord winder as claimed in claim 1 wherein the projection or
depression on the body consists of multiple projections and the depression or
projection on the bobbin (101) consists of a fixed projection and the bobbin is
flexibly mounted to the body.
１０．A cable or cord winder as claimed in claim 1 wherein the bobbin may be
rotated in either direction.
１１．A cable or cord winder as claimed in claim 1 wherein the winder may be
supported by a strap (1).
１２．A cable or cord winder comprising of a body (11) to which a cable or cord
(2) may be anchored and from which the cable or cord may extend and which body
is at least partially surrounded by a rotatable bobbin (31) journalled upon the
body, the cable being windable onto the body within the rotatable bobbin from a
direction substantially aligned with the bobbin axis, wherein the bobbin
rotation is indexed by coaction between at least one projection or depression
on the body (11) and at least one depression or projection on the bobbin (31)
and the bobbin has an internal bobbin projection slidably engagable with the
cord or cable to wrap it around the body as the bobbin is rotated on the body
wherein the internal bobbin projection extends a loop around the body portion
on which the cable or cord (2) is wrapped.
１３．A cable or cord winder comprising of a body (11) to which a cable or cord
(2) may be anchored and from which the cable or cord may extend and which body
is at least partially surrounded by a rotatable bobbin (31) journalled upon the
body, the cable being windable onto the body within the rotatable bobbin from a
direction substantially aligned with the bobbin axis, wherein the bobbin
rotation is indexed by coaction between at least one projection or depression
on the body (11) and at least one depression or projection on the bobbin (31)
and the bobbin has an internal bobbin projection slidably engagable with the
cord or cable to wrap it around the body as the bobbin is rotated on the body
wherein the internal bobbin projection extends a single strand of cord or cable
around the body portion on which the cable or cord (2) is wrapped.
Abstract
CABLE OR CORD WINDER
A winder for the cable of a headset or the like has a bobbin (32) rotating
around a body (11), with the cable or cord (2) entering the side of the bobbin
and being wound or unwound within the bobbin on the body.  An indexing
mechanism prevents accidental unwinding of the cable.   The bobbin is
preferably assembled to the body without tools.
FIG. 1
【図１】
2009057132.tif 000015
【図２】
2009057132.tif 000016
【図３】
2009057132.tif 000017
【図４】
2009057132.tif 000018
【図５】
2009057132.tif 000019
【図６】
2009057132.tif 000020
【図７】
2009057132.tif 000021
【図８】
2009057132.tif 000022
【図９】
2009057132.tif 000023
【図１０】
2009057132.tif 000024
【図１１】
2009057132.tif 000025
【図１２】
2009057132.tif 000026